(57)【要約】【課題】  狭小領域を迂回する必要がない配管方法を提供すること。【解決手段】  狭小領域Ｋ１よりも上流側に位置する上流側広大領域Ｋ２に上流側の管継手１０１を配置するとともに、狭小領域Ｋ１よりも下流側に位置する下流側広大領域Ｋ３に下流側の管継手１０１を配置し、管継手１０１に接続される主パイプ１００よりも小さい呼び径を有する複数の分割パイプ１０３を狭小領域Ｋ１に挿通させ、一対の管継手用アダプター１１のうち一方の管継手用アダプター１１を介して上流側の主パイプ１００を複数の分割パイプ１０３に分岐させるとともに、他方の管継手用アダプター１１を介して複数の分割パイプ１０３を下流側の主パイプ１００に合流させる。【選択図】  図１
2020109301.tif 000002
【特許請求の範囲】
【請求項１】
複数のパイプ用接続部と、前記複数のパイプ用接続部を一つに集合する管継手用接続部とを備え、前記管継手用接続部は他の管継手に挿入接続可能なパイプ形状を有しており、前記管継手用接続部の呼び径は、前記複数のパイプ用接続部のそれぞれに接続されるパイプの何れの呼び径よりも大きく設定されている管継手用アダプター。
【発明の詳細な説明】
【技術分野】
【０００１】
本発明は、狭小領域を介して配管を行うために用いられる管継手用アダプターに関する。
【背景技術】
【０００２】
非特許文献１の第４８頁には、給水給湯用の架橋ポリエチレン管が開示されている。当該架橋ポリエチレン管には、ＪＩＳ規格に準拠した「１０」、「１３」、「１６」、「２０」の各呼び径のものがラインナップされている。呼び径が「１６」の架橋ポリエチレン管及び呼び径が「２０」の架橋ポリエチレン管は、例えば一般家庭の給水給湯用配管では、主管として用いられることが多い。呼び径が「１０」の架橋ポリエチレン管及び呼び径が「１３」の架橋ポリエチレン管は、例えば一般家庭の給水給湯用配管では、主管と末端水栓とを接続する分岐管として用いられることが多い。
【先行技術文献】
【非特許文献】
【０００３】
【非特許文献１】株式会社オンダ製作所「総合カタログ２０１８−２０１９」、第４８頁
【発明の概要】
【発明が解決しようとする課題】
【０００４】
例えば、マンションの住宅の給水給湯用配管をリフォームするにおいて、床板とコンクリートスラブとの間つまり床下空間を、配管に利用したいという要望がある。当該床下空間には、床板とコンクリートスラブとの距離が２０ｍｍ程度の狭小領域が存在する場合も少なくない。この場合、呼び径が「１０」の架橋ポリエチレン管は外径が１２．８５ｍｍ〜１３．１５ｍｍであり、呼び径が「１３」の架橋ポリエチレン管は外径が１６．８５ｍｍ〜１７．１５ｍｍであるため、当該狭小領域を利用した配置には問題が生じ難い。
【０００５】
しかし、呼び径が「１６」の架橋ポリエチレン管は外径が２１．３５ｍｍ〜２１．６５ｍｍであり、呼び径が「２０」の架橋ポリエチレン管は外径が２６．８５ｍｍ〜２７．１５ｍｍであるため、当該狭小領域への配置は困難である。したがって、当該狭小領域を迂回する必要がある主管の取り回しに、大きな制約があった。
【０００６】
本発明の目的は、狭小領域を迂回する必要がない管継手用アダプターを提供すること。
【課題を解決するための手段】
【０００７】
前記目的を達成するために請求項１の管継手用アダプターは、複数のパイプ用接続部と、前記複数のパイプ用接続部を一つに集合する管継手用接続部とを備え、前記管継手用接続部は他の管継手に挿入接続可能なパイプ形状を有しており、前記管継手用接続部の呼び径は、前記複数のパイプ用接続部のそれぞれに接続されるパイプの何れの呼び径よりも大きく設定されているものである。
【図面の簡単な説明】
【０００８】
【図１】床下空間における主管の平面図。
【図２】床下空間における狭小領域の横断面図。
【発明を実施するための形態】
【０００９】
以下、本発明の管継手用アダプターについて図面を参照しつつ説明する。
図２に示すように、マンションの住宅には、床板２０１とコンクリートスラブ２０２との間に床下空間が存在する。当該床下空間には、床板２０１とコンクリートスラブ２０２との距離が２０ｍｍ程度の狭小領域Ｋ１が存在する。当該住宅における給水給湯用配管のリフォームは、当該床下空間を主管の配置に利用する。この場合、狭小領域Ｋ１を迂回すると主管が長くなる等の不都合があるため、以下のように狭小領域Ｋ１をも利用して主管が配置されている。
【００１０】
図１に示すように、前記床下空間において狭小領域Ｋ１よりも上流側（図１の上側）に位置する上流側広大領域Ｋ２及び床下において狭小領域Ｋ１よりも下流側（図１の下側）に位置する下流側広大領域Ｋ３には、それぞれ主パイプ１００に接続された管継手１０１が配置されている。管継手１０１は、ソケットタイプ（ストレートタイプ）である。主パイプ１００は、それぞれＪＩＳ規格に準拠した架橋ポリエチレン管であって、例えば呼び径が「１６」又は「２０」であり、よって外径は２１．３５ｍｍ〜２１．６５ｍｍ又は２６．８５ｍｍ〜２７．１５ｍｍである。
【００１１】
管継手１０１は、周知のワンタッチタイプのロック・シール機構１０２ａを内装する主パイプ用接続部１０２を備えている。主パイプ用接続部１０２に、対応する主パイプ１００が挿入・接続されている。
【００１２】
複数（本実施形態においては２つ）の分割パイプ１０３は、それぞれＪＩＳ規格に準拠した架橋ポリエチレン管であって、各主パイプ１００よりも小さい呼び径を有する。例えば各分割パイプ１０３は呼び径が「１０」又は「１３」であり、よって外径は１２．８５ｍｍ〜１３．１５ｍｍ又は１６．８５ｍｍ〜１７．１５ｍｍである。複数の分割パイプ１０３は、相互に並行した状態で配置されているとともに、それぞれ上流側広大領域Ｋ２から狭小領域Ｋ１を経由して下流側広大領域Ｋ３へと到達されている。
【００１３】
複数の分割パイプ１０３を狭小領域Ｋ１へ挿通する作業は、１つずつ別個に行ってもよい。また、複数の分割パイプ１０３の先端を、図示しないテープや治具等を用いて仮に結合し、当該結合部分を狭小領域Ｋ１へと挿通させた後、当該結合を解除する方法であってもよい。
【００１４】
管継手用アダプター１１は一対が準備されて、一方の管継手用アダプター１１は上流側広大領域Ｋ２に配置され、他方の管継手用アダプター１１は下流側広大領域Ｋ３に配置されている。上流側広大領域Ｋ２にて、管継手用アダプター１１は、対応する主パイプ１００を複数の分割パイプ１０３に分岐させる。下流側広大領域Ｋ３にて、管継手用アダプター１１は、複数のパイプ１０３を対応する主パイプ１００に合流させる。
【００１５】
管継手用アダプター１１は、複数（本実施形態においては２つ）のパイプ用接続部２２と、２つのパイプ用接続部２２を一つに集合する管継手用接続部２１とを備えている。２つのパイプ用接続部２２は、相互に並行して配置されている。管継手用接続部２１の軸心と、各パイプ用接続部２２の軸心とは平行である。各パイプ用接続部２２は、それぞれ周知のワンタッチタイプのロック・シール機構２２ａを内装する。
【００１６】
管継手用接続部２１は、管継手１０１の主パイプ用接続部１０２に挿入接続可能なパイプ形状をなしている。管継手用接続部２１の外周面には、主パイプ用接続部１０２のロック・シール機構１０２ａと係合する溝２１ａが設けられている。管継手用接続部２１の先端部２１ｂは、外周縁及び内周縁がテーパ状に形成され、外周縁は先端側が小径、内周縁は先端側が大径となっている。
【００１７】
管継手用接続部２１の呼び径は、管継手１０１の主パイプ用接続部１０２に対応すべく、呼び径「１６」又は呼び径「２０」である。管継手用接続部２１は、管継手１０１の主パイプ用接続部１０２に挿入され、ロック・シール機構１０２ａによって、抜け止め及び水密の確保がなされている。
【００１８】
各パイプ用接続部２２の対応サイズは、分割パイプ１０３に対応すべく、呼び径「１０」又は呼び径「１３」である。各パイプ用接続部２２には対応する分割パイプ１０３の一端部が挿入され、ロック・シール機構２２ａによって、抜け止め及び水密の確保がなされている。
【００１９】
各管継手用アダプター１１は、複数の分割パイプ１０３を狭小領域Ｋ１に挿通した後で、当該複数の分割パイプ１０３に対して接続してもよい。また、一対の管継手用アダプター１１のうちの一方を複数の分割パイプ１０３に接続した状態で、当該複数の分割パイプ１０３を狭小領域Ｋ１へと挿通し、当該挿通の後、一対の管継手用アダプター１１のうちの他方をこの複数の分割パイプ１０３に接続してもよい。
【００２０】
本実施形態においては次のような効果を得られる。
上流側広大領域Ｋ２に配置された管継手用アダプター１１は、一つの主パイプ用接続部１０２を複数のパイプ用接続部２２に分岐する。下流側広大領域Ｋ３に配置された管継手用アダプター１１は、複数のパイプ用接続部２２を一つの主パイプ用接続部１０２に合流させる。したがって、各分割パイプ１０３の呼び径を、主パイプ用接続部１０２の呼び径より小さくして狭小領域Ｋ１を有効利用しつつ、必要な流量（通過断面積）も確保できる。
【００２１】
＜別例＞
本発明は例えば次の態様でも実施が可能である。
○各管継手用アダプター１１を、１つの管継手用接続部２１と、３つ、４つ、５つ、６つ又は７つのパイプ用接続部２２とで構成すること。
【００２２】
○各管継手用アダプター１１を、複数の管継手用接続部２１と、管継手用接続部２１よりも多い数のパイプ用接続部２２とで構成すること。
【００２３】
○複数の分割パイプ１０３のうち、一部の分割パイプ１０３の呼び径と残りの分割パイプ１０３の呼び径とを異ならせること。例えば、複数の分割パイプ１０３のうち、一部の分割パイプ１０３を呼び径「１０」のものとし、残りの分割パイプ１０３を呼び径「１３」のものとすること。それに応じ、各管継手用アダプター１１において、複数のパイプ用接続部２２のうちの一部を、残りとは異なるサイズとすること。例えば、各管継手用アダプター１１において、複数のパイプ用接続部２２のうち、一部を呼び径「１０」の分割パイプ１０３に対応したサイズとし、残りを呼び径「１３」の分割パイプ１０３に対応したサイズとすること。
【００２４】
○狭小領域としては、床下空間に存在するもの以外にも、天井空間に存在するものや、壁内空間に存在するもの等が挙げられる。
【符号の説明】
【００２５】
１１…管継手用アダプター、２１…管継手用接続部、２２…パイプ用接続部、１０１…管継手、１０３…パイプとしての分割パイプ、Ｋ１…狭小領域、Ｋ２…上流側広大領域、Ｋ３…下流側広大領域。
【図１】
2020109301.tif 000003
【図２】
2020109301.tif 000004